(57)【要約】【課題】洗濯物の型崩れ防止や傷み防止を一層確実にし得る洗濯用補助具を提供する。【解決手段】洗濯物に対する載置面部１を備える本体部３を所定操作方向について折り畳む又はロール状に巻く操作過程において、本体部３の操作方向における各部分のうち、折り畳み状態又はロール状態の本体部３において内方側に位置する状態になる包み込まれ部分４、９と、その包み込まれ部分４，９に対して外方側から接する状態になる包み込み部分３ｃとを予め連結しておくための連結手段１１ａ，１１ｂを設ける。【選択図】図４
2012085787.tif 000002
【特許請求の範囲】
【請求項１】
洗濯物を載置するネット状の載置面部を有する本体部と、
この本体部を前記載置面部の面方向に沿う所定の操作方向について折り畳んだ又はロール状に巻いた状態で、その折り畳み状態又はロール状態の前記本体部をそれの外周側で前記操作方向について拘束する展開防止用の拘束手段を備える洗濯用補助具であって、
前記本体部を前記操作方向について折り畳む又はロール状に巻く操作過程において、前記本体部の前記操作方向における各部分のうち、前記折り畳み状態又は前記ロール状態の前記本体部において内方側に位置する状態になる包み込まれ部分と、その包み込まれ部分に対して外方側から接する状態になる包み込み部分とを、予め連結しておくための連結手段を備える洗濯用補助具。
【請求項２】
前記連結手段は、前記本体部の前記操作方向における一方側の半部及び他方側の半部の各々を前記載置面部に載置した洗濯物が前記載置面部により包み込まれる状態に前記操作方向について２つ折りに折り畳んだ途中折り畳み状態において、
前記本体部の前記操作方向における両端部の夫々を前記包み込まれ部分とし、かつ、前記本体部における前記一方側の半部と前記他方側の半部との境界部分を前記包み込み部分として、前記本体部の前記操作方向における両端部の夫々を前記境界部分に対して連結するものにし、
前記拘束手段は、前記途中折り畳み状態の前記本体部をさらに前記包み込まれ部分としての前記本体部の両端部が包み込まれる状態に前記境界部分で２つ折りに折り畳んだ状態において、その折り畳み状態の前記本体部をそれの外周側で前記操作方向について拘束するものにしてある請求項１記載の洗濯用補助具。
【請求項３】
前記本体部の前記境界部分において、連結用帯状部を前記操作方向とは直交する本体部幅方向に延びる状態に配置して前記本体部に設け、
前記連結手段は、洗濯物を前記載置面部と前記連結用帯状部との間に位置させて前記載置面部に載置した状態において、前記連結用帯状部と前記本体部の前記操作方向における両端部とを連結するものにしてある請求項２記載の洗濯用補助具。
【請求項４】
前記拘束手段として、拘束用の帯状部材を前記操作方向に延びる状態に配置して前記載置面部の背面側に取り付けるとともに、この拘束用の帯状部材により折り畳み状態の前記本体部をその外周側から締め付けた状態で前記拘束用帯状部材の一端側部分と他端側部分とを接続する拘束用の接続手段を設け、
前記拘束用の帯状部材は、前記途中折り畳み状態において、２つ折りの折り畳み状態にある前記本体部の前記一方側の半部又は前記他方側の半部よりも一端部が前記操作方向に延び出る状態として前記載置面部の背面側に取り付けてある請求項２又は３記載の洗濯用補助具。
【発明の詳細な説明】
【技術分野】
【０００１】
本発明は、スーツなどの洗濯物の洗濯において、その洗濯物の型崩れ防止や傷み防止などのために用いる洗濯用補助具に関する。
さらに詳しくは、洗濯物を載置するネット状の載置面部を有する本体部と、この本体部を載置面部の面方向に沿う所定の操作方向について折り畳んだ又はロール状に巻いた状態で、その折り畳み状態又はロール状態の本体部をそれの外周側で前記操作方向について拘束する展開防止用の拘束手段を備える洗濯用補助具に関する。
【背景技術】
【０００２】
従来、この種の洗濯用補助具として特許文献１の図１〜図３に示されるものがある。この特許文献１の洗濯用補助具は、同特許文献１の図４や図５に示される如く、洗濯物を載置する載置面部を備える通水性シート状の本体部を洗濯物とともにロール状に巻いた状態、又は、同特許文献１の図１３や図１４に示される如く、通水性シート状の本体部を洗濯物とともに折り畳んだ状態にし、これらロール状態や折り畳み状態の本体部をそれの外周側からゴム帯などの拘束手段により拘束した状態で使用する。
【先行技術文献】
【特許文献】
【０００３】
【特許文献１】特開平１１−４９９２号公報
【発明の概要】
【発明が解決しようとする課題】
【０００４】
特許文献１に示される洗濯用補助具では、ロール状態又は折り畳み状態にした本体部が洗濯機による洗濯中に展開して拡がった状態に戻ってしまうことは上記拘束手段による拘束をもって防止される。
【０００５】
しかし、ロール状態又は折り畳み状態にした本体部の洗濯中における動きによっては、ロール状態又は折り畳み状態にした本体部において内方側に位置する本体部の端部分や折り曲げ部分が、それら端部分や折り曲げ部分に位置する洗濯物部分とともにロール状態又は折り畳み状態の本体部から筍状や舌状にはみ出す状態になることがある。
【０００６】
そして、このはみ出しのために型崩れ防止や傷み防止が不十分になって洗濯物の型崩れや傷みを招いてしまう問題があった。
【０００７】
この実情に鑑み、本発明の主たる課題は、合理的な改良により上記の如きはみ出しを効果的に防止できて、洗濯物の型崩れや痛みを一層確実に防止できる洗濯用補助具にする点にある。
【課題を解決するための手段】
【０００８】
本発明の第１特徴構成は洗濯用補助具に係り、その特徴は、
洗濯物を載置するネット状の載置面部を有する本体部と、
この本体部を前記載置面部の面方向に沿う所定の操作方向について折り畳んだ又はロール状に巻いた状態で、その折り畳み状態又はロール状態の前記本体部をそれの外周側で前記操作方向について拘束する展開防止用の拘束手段を備える洗濯用補助具であって、
前記本体部を前記操作方向について折り畳む又はロール状に巻く操作過程において、前記本体部の前記操作方向における各部分のうち、前記折り畳み状態又は前記ロール状態の前記本体部において内方側に位置する状態になる包み込まれ部分と、その包み込まれ部分に対して外方側から接する状態になる包み込み部分とを、予め連結しておくための連結手段を備える点にある。
【０００９】
つまり、この構成によれば、所定の操作方向に折り畳んだ又はロール状に巻いた状態の本体部が洗濯機による洗濯中にその折り畳み方向又は巻き方向である上記操作方向に展開して拡がった状態に戻ってしまうことは、折り畳み状態又はロール状態の本体部を外周側で上記操作方向について拘束する展開防止用の拘束手段により防止される。
【００１０】
そしてまた、本体部の上記操作方向（即ち、折り畳み方向又は巻き方向）における各部分のうち、折り畳み状態又はロール状態の本体部において内方側に位置する状態になる包み込まれ部分（即ち、折り畳み状態又はロール状態の本体部において内方側に位置する本体部の端部分や折り曲げ部分）が、その部分に位置する洗濯物部分とともに折り畳み状態又はロール状態の本体部から洗濯中においてはみ出す状態になることは、本体部を折り畳む又はロール状に巻く操作過程において、本体部における上記包み込まれ部分と、その包み込まれ部分に対して外方側から接する状態になる包み込み部分とを、連結手段により予め連結しておくことで防止される。
【００１１】
従って、上記構成の洗濯用補助具によれば、従前の洗濯用補助具に比べ、洗濯物の型崩れや痛みを一層確実に防止することができる。
【００１２】
本発明の第２特徴構成は、第１特徴構成の実施において、
前記連結手段は、前記本体部の前記操作方向における一方側の半部及び他方側の半部の各々を前記載置面部に載置した洗濯物が前記載置面部により包み込まれる状態に前記操作方向について２つ折りに折り畳んだ途中折り畳み状態において、
前記本体部の前記操作方向における両端部の夫々を前記包み込まれ部分とし、かつ、前記本体部における前記一方側の半部と前記他方側の半部との境界部分を前記包み込み部分として、前記本体部の前記操作方向における両端部の夫々を前記境界部分に対して連結するものにし、
前記拘束手段は、前記途中折り畳み状態の前記本体部をさらに前記包み込まれ部分としての前記本体部の両端部が包み込まれる状態に前記境界部分で２つ折りに折り畳んだ状態において、その折り畳み状態の前記本体部をそれの外周側で前記操作方向について拘束するものにしてある点にある。
【００１３】
つまり、この構成によれば、本体部を所定の操作方向について折り畳む使用形態を採ることにおいて、上記途中折り畳み状態にあるときに、本体部の上記操作方向における両端部の夫々（即ち、一端部と他端部との夫々）を前記包み込まれ部分として連結手段により前記包み込み部分としての上記境界部分に連結するから、洗濯中において本体部の端部分（上記端部と他端部）が、それら端部分に位置する洗濯物部分とともに折り畳み状態の本体部からはみ出す状態になることを一層効果的に防止することができる。
【００１４】
また、上記途中折り畳み状態にあるとき、本体部の上記操作方向における一方側の半部と他方側の半部との境界部分を共通の包み込み部分として、その境界部分に対し本体部の一端部と他端部との両方を連結するから、本体部の一端部と他端部との２箇所を連結手段により連結するものにしながらも、その連結操作を容易にすることができる。
【００１５】
更に、上記途中折り畳み状態において本体部の両端部夫々を連結手段により上記境界部分に連結した後、その途中折り畳み状態から上記境界部分を目安として本体部を境界部分において２つ折りに折り畳むだけで、その折り畳み状態の本体部を拘束手段により上記操作方向について拘束する操作に移ることができ、これにより、上記の如く連結手段による連結操作が容易なこととも相俟って、使い勝手もよい洗濯用補助具にすることができる。
【００１６】
本発明の第３特徴構成は、第２特徴構成の実施において、
前記本体部の前記境界部分において、連結用帯状部を前記操作方向とは直交する本体部幅方向に延びる状態に配置して前記本体部に設け、
前記連結手段は、洗濯物を前記載置面部と前記連結用帯状部との間に位置させて前記載置面部に載置した状態において、前記連結用帯状部と前記本体部の前記操作方向における両端部とを連結するものにしてある点にある。
【００１７】
つまり、この構成によれば、洗濯物を前記載置面部と上記連結用帯状部との間に位置させて前記載置面部に載置したとき、その連結用帯状部が洗濯物の上に位置することから、その連結用帯状部を目安とした状態で、本体部の前記操作方向における一方側半部及び他方側半部夫々の２つ折り操作を行なって、前記途中折り畳み状態にすることができる。
【００１８】
そしてまた、前記連結手段による連結操作として、この途中折り畳み状態で前記境界部分における連結用帯状部と本体部の上記操作方向における両端部とを連結した後も、上記連結用帯状部を目安として本体部を前記境界部分において２つ折りに折り畳むだけで、その折り畳み状態の本体部を拘束手段により上記操作方向について拘束する操作に移ることができ、これらのことで、一層使い勝手のよい洗濯用補助具にすることができる。
【００１９】
上記構成の実施において、載置面部に載置した洗濯物を覆うカバー部などを設ける場合には、そのカバー部の表面側（上面側）に上記連結用帯状部を設けるようにすればよい。
【００２０】
本発明の第４特徴構成は、第２又は第３特徴構成の実施において、
前記拘束手段として、拘束用の帯状部材を前記操作方向に延びる状態に配置して前記載置面部の背面側に取り付けるとともに、この拘束用の帯状部材により折り畳み状態の前記本体部をその外周側から締め付けた状態で前記拘束用帯状部材の一端側部分と他端側部分とを接続する拘束用の接続手段を設け、
前記拘束用の帯状部材は、前記途中折り畳み状態において、２つ折りの折り畳み状態にある前記本体部の前記一方側の半部又は前記他方側の半部よりも一端部が前記操作方向に延び出る状態して前記載置面部の背面側に取り付けてある点にある。
【００２１】
つまり、この構成では、前記操作方向（折り畳み方向）に延びる状態に配置して前記載置面部の背面側に取り付けた拘束用の帯状部材により、折り畳み状態の本体部をその外周側から締め付け、その締め付け状態で拘束用帯状部材の一端側部分と他端側部分とを拘束用の接続手段により接続することで、折り畳み状態の本体部をそれの外周側で前記操作方向について拘束した状態にする。
【００２２】
そして、この構成によれば、前記途中折り畳み状態において、拘束用帯状部の一端部が２つ折りの折り畳み状態にある本体部の一方側半部又は他方側半部よりも前記操作方向に延び出る状態になることにより、その延び出し部分の存在に促される形態で、使用者は前記連結手段による連結操作の後、速やかに途中折り畳み状態の本体部をさらに前記境界部分で２つ折りに折り畳んで、その折り畳み状態の本体部を拘束用の帯状部材により拘束する操作に移ることができ、これにより、さらに使い勝手のよい洗濯用補助具にすることができる。
【図面の簡単な説明】
【００２３】
【図１】洗濯用補助具の開き状態を示す正面図
【図２】洗濯用補助具の背面図
【図３】洗濯用補助具の閉じ状態を示す正面図
【図４】洗濯用補助具の折り畳み操作過程を示す正面図
【図５】洗濯用補助具の折り畳み操作過程を示す背面図
【図６】洗濯用補助具の拘束操作過程を示す正面図
【図７】洗濯用補助具の折り畳み状態を示す斜視図
【発明を実施するための形態】
【００２４】
図１〜図３は洗濯物の型崩れ防止や傷み防止に用いる洗濯用補助具を示し、この洗濯用補助具は、洗濯物Ｓを載置する荒目ネット状の載置面部１と、この載置面部１に載置した洗濯物Ｓを覆う細目ネット状のカバー部２とを有する薄平らな本体部３を備えている。
【００２５】
載置面部１及びカバー部２はほぼ同じ大きさの長方形状であり、これら載置面部１とカバー部２とは、それらの長手方向における一端側の一辺部４と、その一辺部４に隣接する一方の横辺部５の一端部５ａにおいて縫合し、その他の周辺部は一連のチャック６により開閉自在にしてある。
【００２６】
このチャック６は、２つの引き具６ａの各々による開閉操作が可能であり、２つの引き具６ａをともに上記一辺部４側の端まで開いた状態では、上記一辺部４と上記横辺部５の一端部５ａとにより形成される正面視三角形状の袋部を残して、図１に示す如く載置面部１のほぼ全体を露呈させる状態にカバー部２を開くことができ、この開き状態において洗濯物Ｓを載置面部１に載置する。
【００２７】
載置面部１の内面側における長手方向の一方側（上記一辺部４の側）には、載置面部１の全幅にわたるスラックス用の帯状保持具７を設けてあり、洗濯物Ｓとしてのスラックスはこのスラックス用の帯状保持具７に折り掛けることで載置面部１に対して保持する。
【００２８】
また、載置面部１の内面側における長手方向の他方側には、正面視「ハ」の字状に配置した肩用の帯状保持具８を設けてあり、洗濯物Ｓとしての上着はその両肩部をこの肩用の帯状保持具８により押さえ込むことで載置面部１に対して保持する。
【００２９】
つまり、チャック６を閉じた状態おいて載置面部１とカバー部２とにより形成される収納用袋の内部で上着やスラックスなどの洗濯物Ｓがズレ動いてしまうことを、これら保持具７，８により防止する。
【００３０】
なお、スラックス用の帯状保持具７はそれの一端側を上記三角形状の袋部内に位置させる状態にしてある。
【００３１】
この洗濯用補助具は、洗濯物Ｓを載置面部１の内面側に載置してチャック６によりカバー部２を閉じた後、載置面部１の背面側を外側にして本体部３をその長手方向（操作方向の一例）に折り畳んだ状態で洗濯機に投入して使用するが、この折り畳みのための構成として、載置面部１とカバー部２との縫合側の前記一辺部４（換言すれば、本体部３の長手方向における一端部）には、３つの連結部１０を本体部３の幅方向に並べて設け、これら連結部１０の夫々に連結手段としての雄側ホック１１ａを取り付けてある。
【００３２】
また、カバー部２の開き初め側の端部９（即ち、カバー部２を閉じた状態では袋状の本体部３の長手方向における他端部）にも、同様に、３つの連結部１０を本体部３の幅方向に並べて設け、これら連結部１０の夫々に連結手段としての雄側ホック１１ａを取り付けてある。
【００３３】
これら６個の雄側ホック１１ａの装備に対し、本体部３の長手方向における一方側の半部３ａと他方側の半部３ｂとの境界部分３ｃにおいてカバー部２の表面側（換言すれば、本体部３の表面側）には、本体部３の全幅にわたる連結用帯状部１２を取り付けてあり、この連結用帯状部１２に前記雄側ホック１１ａに対する連結手段としての６個の雌側ホック１１ｂを２個ずつの組で本体部３の幅方向に並べて取り付けてある。
【００３４】
さらにまた、載置面部１の背面側（本体部３の背面側）には、本体部３の長手方向に延びる拘束手段としての３本の拘束用帯状部材１３を本体部３の幅方向に並べて取り付け、これら拘束用帯状部材１３夫々の一端側部分１３ａ（前記一辺部４側の端部）に拘束用接続手段としての２個の雄側ホック１４ａを拘束用帯状部材１３の長手方向に並べて設けてある。
【００３５】
そして、これら拘束用帯状部材１３夫々の他端側部分１３ｂに、同じ拘束用帯状部材１３の一端側部分１３ａに設けた雄側ホック１４ａに対する拘束用接続手段としての２個の雌側ホック１４ｂを拘束用帯状部材１３の長手方向に並べて設けてある。
【００３６】
なお、拘束用帯状部材１３を載置面部１の背面側に取り付けるにあたり、拘束用の雄側ホック１４ａを取り付ける拘束用帯状部材１３の一端側部分１３ａについては所定長さにわたり載置面部１に対し縫合せず自由状態で残してある。
【００３７】
次に、洗濯用補助具の使用方法について説明すると、先ず洗濯物Ｓを載置面部１に載置した状態でチャック６によりカバー部２を閉じ、載置面部１とカバー部２とからなる本体部３を閉塞した袋状にする。
【００３８】
その後、本体部３の長手方向（所定操作方向）における一方側の半部３ａと他方側の半部３ｂとの境界部分３ｃでカバー部２の表面側にある連結用帯状部１２を目安として、図４に示す如く、それら本体部３の一方側半部３ａ及び他方側半部３ｂの夫々を、載置面部１に載置した洗濯物Ｓ及びカバー部２が載置面部１により包み込まれる状態に、本体部３の長手方向について２つ折りに折り畳む。
【００３９】
即ち、この折り畳み操作により、本体部３の長手方向における一端部４（前記一辺部）と他端部９（カバー部２の開き初め側の端部）とが、カバー部２の表面側にある連結用帯状部１２の近傍に位置する途中折り畳み状態にする。
【００４０】
また、この途中折り畳み状態では、載置面部１に対し縫合せず自由状態で残した拘束用帯状部材１３の一端側部分１３ａが、図４，図５に示す如く、２つ折りの折り畳み状態にある本体部３の他方側半部３ｂよりも本体部３の長手方向に延び出る状態になる。
【００４１】
そして、この途中折り畳み状態において、本体部３の一端部４に設けた３つの連結部１０、及び、本体部３の他端部９に設けた３つの連結部１０の夫々における計６個の雄側ホック１１ａを、連結用帯状部１２に設けた６個の雌側ホック１１ｂに連結する。
【００４２】
続いて、このように本体部３の長手方向における両端部４，９の夫々を連結用帯状部１２に連結（換言すれば、カバー部２の表面側で前記境界部分３ｃに連結）した後、再度、連結用帯状部１２を目安として、途中折り畳み状態の本体部３を、連結用帯状部１２に連結した本体部３の両端部４，９が包み込まれる状態に、さらに連結用帯状部１２の近傍部分（即ち、前記境界部分３ｃ）において図６に示す如く２つ折りに折り畳む。
【００４３】
また、この折り畳み状態（最終折り畳み状態）の本体部３を、図６，図７に示す如く、前記一方側半部３ａの折り曲げ部分が前記他方側半部３ｂの折り曲げ部分の外側にある程度周り込む状態にして、３本の拘束用帯状部材１３により外周側から締め付けた状態にする。
【００４４】
そして最後に、この締め付け状態において、拘束用帯状部材１３夫々の一端側部分１３ａに取り付けた２個の雄側ホック１４ａを、同じ拘束用帯状部材１３の他端側部分１３ｂに取り付けた２個の雌側ホック１４ｂに接続することで、最終折り畳み状態の本体部３をそれの長手方向（折り畳み方向）について外周側で拘束し、この拘束により、最終折り畳み状態の本体部３が展開して拡がってしまうことを防止した状態で、その拘束状態の本体部３を洗濯機に投入して洗濯を行なう。
【００４５】
つまり、この洗濯用補助具では、上述の如く本体部３をそれの長手方向（所定操作方向）について折り畳む操作過程において、本体部３の長手方向における各部分のうち、最終折り畳み状態の本体部３において内方側に位置する状態になる包み込まれ部分（本例では本体部１の両端部４，９）と、その包み込まれ部分４，９に対して外方側から接する状態になる包み込み部分（本例ではカバー部２の表面側における前記境界部分３ｃ）とを、本体部３の両端部４，９に設けた雄側ホック１１ａと連結用帯状部１２に設けた雌側ホック１１ｂとにより予め連結しておく。
【００４６】
これにより、洗濯中に上記包み込まれ部分４，９がその部分に位置する洗濯物部分ととも折り畳み状態の本体部３から舌状にはみ出した状態になることを確実かつ効果的に防止し、もって、拘束用帯状部材１３による展開防止とも相俟って、洗濯物Ｓの型崩れ防止や傷み防止の面で一層優れた効果が得られるようにしてある。
【００４７】
〔別実施形態〕
次に本発明による洗濯用補助具の別実施形態を列記する。
前述の実施形態では、載置面部１に載置した洗濯物Ｓを覆うカバー部２を本体部３の一部として設けた例を示したが、このカバー部２は載置面部１の全体を覆うものに限らず、載置面部１の一部のみを覆うものにしてもよい。
【００４８】
また、場合によってはカバー部２を省略して、洗濯物Ｓを載置面部１とその内面側に設けた連結用帯状部１２との間に位置させて載置面部１に載置する構成にしてもよい。
【００４９】
前述の実施形態では、本体部３の長手方向を折り畳みの操作方向とする例を示したが、本体部３の折り畳み操作方向は本体部３の長手方向に限らず、載置面部１の面方向に沿う方向であればいずれの方向であってもよい。
【００５０】
また、本体部３を第１操作方向に折り畳んだ後、折り畳み状態の本体部３を第１操作方向とは異なる第２操作方向へさらに折り畳む操作形態を採り、これら第１操作方向への折り畳み操作過程又は第２操作方向への折り畳み操作過程において、本体部３の端部分や折り曲げ部分などの包み込まれ部分を、それの外側に接する状態になる包み込み部分に対して連結手段により予め連結しておくものしてもよい。
【００５１】
さらにまた、本体部３をそれの長手方向などの所定操作方向に折り畳むのに代え、ロール状に巻く操作形態を採り、このロール状に巻く操作過程において、本体部３の端部分や中間部分などの包み込まれ部分を、それの外側に接する状態になる包み込み部分に対して連結手段により予め連結しておくものにしてもよい。
【００５２】
あるいはまた、本体部３を第１操作方向に折り畳んだ後、折り畳み状態にある本体部３を第２操作方向へロール状に巻く操作形態を採り、これら第１操作方向への折り畳み操作過程又は第２操作方向への巻き操作過程において、本体部３の端部分や折り曲げ部分あるいは中間部分などの包み込まれ部分を、それの外側に接する状態になる包み込み部分に対して連結手段により予め連結しておくものしてもよい。
【００５３】
包み込まれ部分と包み込み部分とを連結する連結手段は、前述の実施形態で示した如きホック式にものに限らず、チャック式など種々の連結方式のものを採用することができる。
【００５４】
また、折り畳み状態又はロール状態の本体部を外側で操作方向について拘束する拘束手段も、前述の実施形態で示したものに限らず、種々の形式のものを採用することができる。
【産業上の利用可能性】
【００５５】
本発明による洗濯用補助具は、紳士用スーツや女性用２ピースなどの洗濯に限らず、種々の洗濯物の洗濯に使用でき、また、その洗濯も必ずしも洗濯機による洗濯に限られるものではなく、場合によっては手洗いなどによる洗濯にも使用することができる。
【符号の説明】
【００５６】
Ｓ                      洗濯物
１                      載置面部
３                      本体部
１３                    拘束手段、拘束用帯状部材
４，９                  包み込まれ部分、本体部の両端部
３ｃ                    包み込み部分、境界部分
１１ａ，１１ｂ          連結手段
３ａ                    一方側半部
３ｂ                    他方側半部
１２                    連結用帯状部
１３ａ                  一端側部分
１３ｂ                  他端側部分
１４ａ，１４ｂ          拘束用接続手段
【図１】
2012085787.tif 000003
【図２】
2012085787.tif 000004
【図３】
2012085787.tif 000005
【図４】
2012085787.tif 000006
【図５】
2012085787.tif 000007
【図６】
2012085787.tif 000008
【図７】
2012085787.tif 000009